(57)【要約】【課題】  光ピックアップのアクチュエータに用いるマグネットとフォーカスコイルとトラッキングコイルとの配列に工夫を講じることによって、マグネット両面の着磁面を磁気回路の構成に寄与させると共に、マグネットとフォーカスコイル及びトラッキングコイルとの各対向間隔を従来よりも縮小する。【解決手段】  レンズホルダー１０に、マグネット４０と共働してレンズホルダー１０をフォーカス方向に付勢するためのフォーカスコイル２０とレンズホルダー１０をトラッキング方向に付勢するためのトラッキングコイル３０とを配備する。レンズホルダー１０の空所１４内のフォーカスコイル２０とトラッキングコイル３０との対向空間内にマグネット４０を配備することによって、マグネット４０の片面側の着磁面４２をフォーカスコイル２０に対向させ、他面側の着磁面４３をトラッキングコイル３０に対向させる。【選択図】        図２
2005317082.tif 000002
【特許請求の範囲】
【請求項１】
対物レンズを備えるレンズホルダーに、マグネットと共働してそのレンズホルダーをフォーカス方向に付勢するためのフォーカスコイルとそのレンズホルダーをトラッキング方向に付勢するためのトラッキングコイルとが配備されているアクチュエータを備えた光ピックアップにおいて、
トラッキングコイルがフォーカスコイルを挟む両側に配備されていると共に、上記レンズホルダーには、フォーカスコイルの配備箇所と片側のトラッキングコイルの配備箇所との間及びフォーカスコイルの配備箇所と他側のトラッキングコイルの配備箇所との間にそれぞれ空所が備わり、それらの各空所内のフォーカスコイルとトラッキングコイルとの対向空間内に、片面側の着磁面がフォーカスコイルに対向し、他面側の着磁面がトラッキングコイルに対向する板片状のマグネットが各別に配備され、上記レンズホルダーは、フォーカスコイルの配備箇所の中央部に配備された支軸によりフォーカス方向及びトラッキング方向に変位可能に位置決めされていることを特徴とする光ピックアップ。
【請求項２】
対物レンズを備えるレンズホルダーに、マグネットと共働してそのレンズホルダーをフォーカス方向に付勢するためのフォーカスコイルとそのレンズホルダーをトラッキング方向に付勢するためのトラッキングコイルとが配備されているアクチュエータを備えた光ピックアップにおいて、
上記マグネットがフォーカスコイルとトラッキングコイルとの対向空間内に配備されて、そのマグネットの片面側の着磁面がフォーカスコイルに対向し、そのマグネットの他面側の着磁面がトラッキングコイルに対向していることを特徴とする光ピックアップ。
【請求項３】
トラッキングコイルがフォーカスコイルを挟む両側に配備されていて、フォーカスコイルの両側のそれぞれの上記対向空間内に各別の上記マグネットが配備されている請求項２に記載した光ピックアップ。
【発明の詳細な説明】
【技術分野】
【０００１】
本発明は、光ピックアップ、特に、対物レンズを備えるレンズホルダーにフォーカスコイルとトラッキングコイルとが取り付けられ、それらのフォーカスコイル及びトラッキングコイルと共に磁気回路を構成するマグネットを有してなるアクチュエータを備えた光ピックアップに関する。
【背景技術】
【０００２】
光ピックアップは、光ディスクに対する記録又は再生を行うための光ディスク装置に用いられていて、対物レンズを装備したレンズホルダーが、光ディスクの半径方向に沿う方向にアクセス制御されるベース部材に搭載されている。また、レンズホルダーは、光ディスクの反りや偏心などに伴う光ディスクと対物レンズとの位置関係の変化を補正するために、レンズホルダーをアクチュエータの作用によって光ディスクに対するフォーカス方向及びトラッキング方向に変位制御することが行われる。一般的なアクチュエータは、上記２方向に変位可能にベース部材に支持されているレンズホルダーに取り付けられたフォーカスコイル及びトラッキングコイルとマグネットとの組合せによって構成されている。
【０００３】
この種の光ピックアップのアクチュエータの構成については従来より種々提案されていて（たとえば特許文献１、特許文献２参照）、次に、それらの特許文献１及び特許文献２によって開示されているアクチュエータの構成を図３及び図４を参照して説明する。なお、図３及び図４では、理解を助けるために同一又は相応する部分に同一符号を付すことにする。
【０００４】
図３は特許文献１に記載されているアクチュエータの構成を示している。このものは、、ベース５側の固定部材５ａに、サスペンション５ｂを介して、フォーカス方向及びトラッキング方向に変位可能に対物レンズ１を備えたレンズホルダー２が支持されていて、そのレンズホルダー２に、１個のフォーカスコイル３と４個のトラッキングコイル４とが取り付けられていると共に、ベース５の２箇所に設けたヨーク６のそれぞれに板片状の永久磁石７を取り付けてある。そして、永久磁石７の片面側の着磁面だけがトラッキングコイル４とフォーカスコイル３とに同一方向で対向し、他面側の着磁面はヨーク６に重なり状に接合されている。また、フォーカスコイル３は、トラッキングコイル４を挟んで永久磁石７の反対側に位置している。
【０００５】
図４は特許文献２に記載されているアクチュエータの構成を示している。このものは、対物レンズ１を備えるレンズホルダー２にフォーカシングコイル３とトラッキングコイル４とが取り付けられていると共に、ヨーク６に板片状のマグネット７が取り付けられている。そして、マグネット７の片面側の着磁面だけがトラッキングコイル４とフォーカシングコイル３とに同一方向で対向し、他面側の着磁面はヨーク６に重なり状に接合されている。また、フォーカシングコイル３は、トラッキングコイル４を挟んでマグネット７の反対側に位置している。
【０００６】
以上説明した特許文献１又は特許文献２によって示されている従来のアクチュエータでは、いずれも、マグネット（永久磁石）７の片面側の着磁面だけがトラッキングコイル４やフォーカスコイル（フォーカシングコイル）３に同一方向で対向し、他面側の着磁面はヨーク６に重なり状に接合されているだけである上、トラッキングコイル４がフォーカスコイル（フォーカシングコイル）３を挟んでマグネット（永久磁石）７の反対側に配備されている。そのため、マグネット（永久磁石）７とトラッキングコイル４との共働によって形成される磁気回路にはマグネット（永久磁石）７の片面側の着磁面だけが役立っていて、他面側の着磁面はその磁気回路に寄与していない。同様に、マグネット（永久磁石）７とフォーカスコイル（フォーカシングコイル）３とによって形成される磁気回路にもマグネット（永久磁石）７の片面側の着磁面だけが役立ち、他面側の着磁面はその磁気回路に寄与していない。
【特許文献１】特開２０００−５７６００号公報（図２）
【特許文献２】特開平１０−３３４４８６号公報（図１）
【発明の開示】
【発明が解決しようとする課題】
【０００７】
しかしながら、従来の光ピックアップのように、そのアクチュエータのトラッキングコイル４がフォーカスコイル（フォーカシングコイル）３を挟んでマグネット（永久磁石）７の反対側に配備されていて、マグネット（永久磁石）７の片面側の着磁面だけが磁気回路を構成することに使われ、他面側の着磁面は磁気回路を構成することに使われていないという状況では、マグネットの着磁面をトラッキングコイルとフォーカスコイルとの両方に近接して配置することによってトラッキング方向の動作時の感度とフォーカス方向の動作時の感度との両方を効率よく向上させることが困難であった。
【０００８】
すなわち、マグネットの片面側の着磁面をトラッキングコイルに近付けることによってトラッキング方向の動作時の感度を向上させることができるとしても、フォーカスコイルがトラッキングコイルを挟んでマグネットの反対側に位置していることにより、トラッキングコイルがじゃまになってマグネットの片面側の着磁面をフォーカスコイルに近付けることに限界が生じるので、トラッキング方向の動作時の感度とフォーカス方向の動作時の感度との両方を効率よく向上させることが困難であった。
【０００９】
本発明は以上の状況に鑑みてなされたものであり、マグネットの使用数を増やすことなく、トラッキング方向の動作時の感度とフォーカス方向の動作時の感度との両方を効率よく向上させることのできる光ピックアップを提供することを目的とする。
【００１０】
また、本発明は、マグネットの片面側の着磁面だけでなく、他面側の着磁面をも磁気回路を構成することに寄与させることによって、トラッキング方向の動作時の感度とフォーカス方向の動作時の感度との両方を効率よく向上させることのできる光ピックアップを提供することを目的とする。
【課題を解決するための手段】
【００１１】
本発明に係る光ピックアップは、対物レンズを備えるレンズホルダーに、マグネットと共働してそのレンズホルダーをフォーカス方向に付勢するためのフォーカスコイルとそのレンズホルダーをトラッキング方向に付勢するためのトラッキングコイルとが配備されているアクチュエータを備えた光ピックアップにおいて、上記マグネットがフォーカスコイルとトラッキングコイルとの対向空間内に配備されて、そのマグネットの片面側の着磁面がフォーカスコイルに対向し、そのマグネットの他面側の着磁面がトラッキングコイルに対向している、というものである。
【００１２】
この構成であれば、マグネットの片面側の着磁面とフォーカスコイルとによって形成される磁気回路がレンズホルダーのフォーカス方向での変位制御に役立ち、マグネットの他面側の着磁面とトラッキングコイルとによって形成される磁気回路がレンズホルダーのトラッキング方向での変位制御に役立つ。また、マグネットがフォーカスコイルとトラッキングコイルとの対向空間内に配備されて、そのマグネットの片面側の着磁面がフォーカスコイルに対向し、そのマグネットの他面側の着磁面がトラッキングコイルに対向しているという構成を採用したことにより、マグネットをフォーカスコイルとトラッキングコイルとの両方に近付けて配備することができるので、トラッキング方向の動作時の感度とフォーカス方向の動作時の感度との両方を効率よく向上させることが可能になる。
【００１３】
本発明では、トラッキングコイルがフォーカスコイルを挟む両側に配備されていて、フォーカスコイルの両側のそれぞれの上記対向空間内に各別の上記マグネットが配備されているという構成を採用することが可能である。これによれば、レンズホルダーをバランスよくフォーカス方向及びトラッキング方向に変位制御することが容易に可能になる。
【００１４】
さらに、本発明は、対物レンズを備えるレンズホルダーに、マグネットと共働してそのレンズホルダーをフォーカス方向に付勢するためのフォーカスコイルとそのレンズホルダーをトラッキング方向に付勢するためのトラッキングコイルとが配備されているアクチュエータを備えた光ピックアップにおいて、トラッキングコイルがフォーカスコイルを挟む両側に配備されていると共に、上記レンズホルダーには、フォーカスコイルの配備箇所と片側のトラッキングコイルの配備箇所との間及びフォーカスコイルの配備箇所と他側のトラッキングコイルの配備箇所との間にそれぞれ空所が備わり、それらの各空所内のフォーカスコイルとトラッキングコイルとの対向空間内に、片面側の着磁面がフォーカスコイルに対向し、他面側の着磁面がトラッキングコイルに対向する板片状のマグネットが各別に配備され、上記レンズホルダーは、フォーカスコイルの配備箇所の中央部に配備された支軸によりフォーカス方向及びトラッキング方向に変位可能に位置決めされている、という構成を採用することによっていっそう具体化される。この発明の作用は、後述する実施形態を参照して詳細に説明する。
【発明の効果】
【００１５】
以上のように本発明によれば、マグネットとフォーカスコイルとトラッキングコイルとの配列に工夫を講じただけであるにもかかわらず、マグネットの片面側と他面側との両方の着磁面が、フォーカス方向又はトラッキング方向の変位制御を行わせるための磁気回路の構成に寄与するようになるので、マグネットとフォーカスコイルとの対向間隔及びマグネットとトラッキングコイルとの対向間隔の両方を従来よりも縮小することが容易に可能である。そのため、マグネットの使用数を増やしたりすることなく、トラッキング方向の動作時の感度とフォーカス方向の動作時の感度との両方が向上したアクチュエータを備える光ピックアップを提供することが可能になる。したがって、光ピックアップを採用した光ディスク装置の性能安定性も向上する。
【発明を実施するための最良の形態】
【００１６】
図１は本発明に係る光ピックアップに採用されるアクチュエータの概略分解斜視図、図２は同アクチュエータの概略平面図である。
【００１７】
図１及び図２において、１０はレンズホルダーで、その前端部に対物レンズ１１を備えているのに対し、その中央部には、ベース部材（不図示）に垂直に固着された支軸１２に嵌合される孔部１３が備わり、その孔部１３を支軸１２に嵌合することによって、レンズホルダー１０がフォーカス方向及びトラッキング方向に変位自在に位置決めされる。また、レンズホルダー１０の下面には、上記孔部１３を取り囲む形態でフォーカスコイル２０が重なり状に接合されるのに対し、そのフォーカスコイル２０を挟む左右両側にトラッキングコイル３０，３０が配備される。さらに、フォーカスコイル２０の配備箇所と片側のトラッキングコイル３０の配備箇所との間、及び、フォーカスコイル２０の配備箇所２０と他側のトラッキングコイル３０の配備箇所との間にそれぞれ矩形の空所１４，１４が備わっている。これに対し、マグネット４０には板片状のものが用いられる。そして、そのような形状を有する２個のマグネット４０，４０のそれぞれの端面４１，４１が、図示していないベース部材の２箇所に立ち上げられた各別の取付片５０，５０に接合されている。
【００１８】
また、図２のように、レンズホルダー１０の孔部１３を支軸１２に嵌合することによってフォーカスコイル２０の配備箇所の中央部に支軸１２を配備することと併せて、左右それぞれの空所１４内のフォーカスコイル２０とトラッキングコイル３０との対向空間内に各別にマグネット４０を配備することとを行って、マグネット４０の片面側の着磁面４２をフォーカスコイル２０に対向させ、他面側の着磁面４３をトラッキングコイル３０に対向させてある。
【００１９】
アクチュエータが以上の構成を備えていると、マグネット４０の片面側の着磁面４２とフォーカスコイル２０とによって形成される磁気回路がレンズホルダー１０をフォーカス方向で変位制御することに役立つ。また、マグネット４０の他面側の着磁面４３とトラッキングコイル３０とによって形成される磁気回路がレンズホルダー１０をトラッキング方向で変位制御することに役立つ。しかも、マグネット４０がフォーカスコイル２０とトラッキングコイル３０との対向空間内に配備されているので、マグネット４０の片面側の着磁面４２がフォーカスコイル２０に近接して位置するだけでなく、マグネット４０の他面側の着磁面４３もトラッキングコイル３０に近接して位置するので、トラッキング方向の動作時の感度とフォーカス方向の動作時の感度との両方がバランスよく向上する。しかも、トラッキングコイル３０がフォーカスコイル２０を挟む両側に配備されていて、フォーカスコイル２０の両側のそれぞれの上記対向空間内に各別にマグネット４０が配備されているために、レンズホルダー１０がバランスよくフォーカス方向及びトラッキング方向に変位制御されるようになる。
【００２０】
この実施形態の光ピックアップに適用されているアクチュエータは、レンズホルダー１０が支軸１２によってフォーカス方向及びトラッキング方向に変位可能に位置決めされているけれども、支軸１２でレンズホルダー１０を位置決めする代わりに、図３で説明した従来例のようにレンズホルダー２をサスペンションを介してフォーカス方向及びトラッキング方向に変位可能に位置決めしたものであってもよい。
【図面の簡単な説明】
【００２１】
【図１】本発明に係る光ピックアップに採用されるアクチュエータの概略分解斜視図である。
【図２】同アクチュエータの概略平面図である。
【図３】従来例としてのアクチュエータの平面図である。
【図４】他の従来例としてのアクチュエータの平面図である。
【符号の説明】
【００２２】
１０  レンズホルダー
１１  対物レンズ
１２  支軸
１４  空所
２０  フォーカスコイル
３０  トラッキングコイル
４０  マグネット
４２  片面側の着磁面
４３  他面側の着磁面
【図１】
2005317082.tif 000003
【図２】
2005317082.tif 000004
【図３】
2005317082.tif 000005
【図４】
2005317082.tif 000006